(57)【特許請求の範囲】
【請求項１】
環状体を挿通する部分、あるいは部材を備えた貴金属性のペンダントトップ下部に、円形の内周面を形成した一部に開口部を設けることによりＣ型となった内周面内側をレール状凸型に形成したものを第１部材とし、前記第１部材レール状凸部に接面するようＵ字溝を備え、前記第１部材の内周面内側を埋めるように構成された円形部材の中心部に“Ｃ”又は“Ｕ”字形状の掛止溝及び開口部を形成したものを第２部材とし、前記第２部材が前記第１部材のレールに沿って回動可能な構造となり、前記第１部材と前記第２部材の開口部を同位置にした状態で、指輪又は環状となる部分を備えた物品を掛止溝に挿入し、前記第２部材を指で回転させ前記第２部材開口部を前記第１部材の開口部と違う位置にすることにより物品を掛止することを可能にしたペンダントトップ。
【請求項２】
上記第２部材Ｕ字溝の溝を歯車状に形成し、上記第１部材レール状凸部の一部にバネ部材を配設、上記第２部材の回転方向を一方向としたことを特徴とする請求項１記載のペンダントトップ。
【発明の詳細な説明】
【技術分野】
【０００１】
本発明は、ペンダントトップに開口部を設け、その開閉が容易にでき、指輪又は環状となる部分を備えた物品を着脱可能にしたペンダントトップの構造に関するものである。
【背景技術】
【０００２】
近年の装身具は、異なるデザインを楽しむことができるよう、ネックレスに付けるアクセサリーの種類を交換可能にすることでバラエティーに富んだものとなっており、この種の装身具は、種々のアクセサリーを組み合わせ可能とするために他のアクセサリーを掛止する、又は連結させるための開閉機構つき装身具を連結具とし、その開放部の構造は、スライドフックや引輪（ＳＲ金具）といわれるもので構成されている。
【０００３】
また、指輪や鍵といった物をネックレス等の環状体に通して付けている光景をよく目にする。特に男性は、結婚指輪を指にはめることなく、しかし大切なものであり失くさないようにネックレスに通し所持している。このような場合、その物を使用する際にはネックレスを外さなければならない。
【発明の開示】
【発明が解決しようとする課題】
【０００４】
上記で示したように、開閉機構つき装身具または連結具は、スライドフック等で構成されており、その開放部の構造は、美観を保つ必要等から必要最小限の大きさとなり、開口操作をする際に細かな指先の動作を必要とし、なかなか思うように開口することができないという問題点がある。
【０００５】
また、指輪等をネックレスに通して付けている場合、着脱するためにはネックレスを外さなければならないという煩わしいものである。
【０００６】
本発明は、装身具としての美観を損なわず開閉機構を備え、指輪や環状となる部分を備えた物品の着脱を、ネックレスを付けたまま簡単な動作で行うことができるペンダントトップを提供することを課題とする。
【課題を解決するための手段】
【０００７】
上記目的を達成するため、本発明請求項１に記載のペンダントトップは、ネックチェーン等の環状体を挿通する部分、あるいは部材を備えた貴金属性のペンダントトップ下部に、円形の内周面を形成し、その一部に開口部を設け、これによりＣ型となった内周面内側をレール状凸型に形成、これを第１部材とする。そのレールに接面するようＵ字溝を備え、第１部材の内周面内側を埋めるように構成された円形部材の中心部に“Ｃ”又は“Ｕ”字形状の掛止溝及び開口部を形成し、これを第２部材とする。この第２部材が第１部材のレールに沿って回動可能な構造となる。第１部材と第２部材の開口部を同位置にした状態で、指輪又は環状となる部分を備えた物品を掛止溝に挿入し、第２部材を指で回転させ開口部を第１部材の開口部と違う位置にすることにより物品を掛止することが可能となる。
【０００８】
また、請求項２に記載の発明は、請求項１に記載のペンダントトップ第２部材Ｕ字溝の底面を歯車状に形成し、第１部材レールの一部にバネ部材を配設、第２部材の回転方向を一方向とした。又、歯車の数、形状は任意とし、バネ部材もピンバネ、板バネどちらでも良い。
【発明の効果】
【０００９】
本発明のペンダントトップは以上のように構成されており、第２部材を指で回転させるだけの簡単な動作で指輪等を容易に着脱することができる。これにより、外出時等のいかなる場合でも、ネックレスをつけたまま操作でき煩わしさがない。又、女性が水仕事をする時に、指輪を外して失くさないように何処かへ置いておきたい場合のニーズにも応えられるものである。水仕事をする前に指輪をペンダントにさっと付け、終われば外し指に付けることができる。ユーザーにとって指輪や鍵といった大切な物を、一時的に容易に着脱できることが最大の利便性である。更に、第２部材が人目に触れる位置であれ、誇張された大きさであっても、一種のデザイン的要素に加味されるものであり美観を損ねることなく使用できる。
【発明を実施するための最良の形態】
【００１０】
以下、本発明に係わるペンダントトップについて添付図面を参照にして実施例を説明する。図１は本発明によるペンダントトップの実施例であり、指輪を取り付けたときの斜視図である。指輪５が第２部材２の掛止溝３に掛止された状態を示したものであり、環状体挿通孔４に環状体６が挿通されている。第２部材２を回転させると、第１部材１のレール部１ａが見える。
【００１１】
第１部材１と第２部材からなるペンダントトップの素材は、金、銀、プラチナ等の貴金属で、デザインは自由であり装飾として宝石の取り付けも可能である。但し、第１部剤レール部は円を描く形状であり、それに沿うように形成された第２部材Ｕ字溝も円形となる。
【００１２】
掛止溝３の大きさ形状は任意であり、環状となる部分を持つ物品が掛止できる大きさを取り開口されている。
【００１３】
図２は、指輪５をペンダントトップに取り付けるときの手順を図示した説明図である。図２（ａ）に示すように、第１部材１の開口部と第２部材２の開口部を同位置にし、次に図２（ｂ）で示すように、指輪５を掛止溝３に挿入する。この状態で第２部材２を指で時計回り、または逆周りに回転させ、第２部材２の開口部を第１部材１の開口部と違う位置にする。これで図２（ｃ）で示すように、開口部が閉鎖され指輪５が掛止される。
【００１４】
図３は、第２部材２を横から見た断面図であり、第１部材１のレール部１ａと第２部材２のＵ字溝２ａにより、第２部材２が第１部材１からはずれることなく、また、回転させることができる構造となっている。
【００１５】
図４は、請求項２記載の第２部材２を正面から見た断面図であり、第２部材２のＵ字溝の底面を凸凹（歯車状）に形成２ｂとし、第１部材１レール部の一部にバネ部材１ｂを配設したものである。ここで示した実施例の第２部材２は時計回りのみの回転方向となる。
【００１６】
以上のように、本発明の実施の形態を図面を用いて説明したが、本発明の技術的範囲は特にこれら実施の形態によって制約されるものでなく、請求項に記載される範囲内におけるあらゆる改変に及ぶものである。
【図面の簡単な説明】
【００１７】
【図１】本発明による実施の形態であり、指輪を取り付けたときの斜視図である。
【図２】指輪の取付手順を示した説明図である。
【図３】第２部材を横から見た断面図
【図４】請求項２記載の、第２部材を正面から見た断面図
【符号の説明】
【００１８】
１    第１部材
１ａ  レール部
１ｂ  請求項２記載のバネ部材
２    第２部材
２ａ  Ｕ字溝
２ｂ  請求項２記載のＵ字溝底面を歯車状にした第２部材
３    掛止溝
４    環状体挿通孔
５    指輪
６    ネックレス等の環状体
【要約】
【課題】装身具としての美観を損なわず開閉機構を備え、指輪や環状となる部分を備えた物品の着脱を、ネックレスを付けたまま簡単な動作で行うことができるペンダントトップを提供する。
【解決手段】ペンダントトップ下部に、開口部を設けた円形の内周面内側をレール状に形成した第１部材１と、そのレールに接面するようＵ字溝を備え、開口部と中心部分に掛止溝を設けた円形の第２部材２から構成されており、この第２部材２を回転させ開口部を互い違いにすることで指輪等を掛止することが可能となる。
【選択図】  図２【図１】
0004165764.tif 000002
【図２】
0004165764.tif 000003
【図３】
0004165764.tif 000004
【図４】
0004165764.tif 000005